(57)【特許請求の範囲】
【請求項１】
（ａ）複数の給紙部にそれぞれ配設され、記録紙を収容するカセットと、
（ｂ）前記各給紙部にそれぞれ配設され、カセット内の記録紙を給紙する給紙ローラと、
（ｃ）前記各給紙部にそれぞれ配設され、給紙された記録紙を搬送する搬送ローラと、
（ｄ）前記各給紙部にそれぞれ配設され、互いに独立に駆動されるモータと、
（ｅ）前記各給紙部にそれぞれ配設され、前記各モータによって発生させられた回転を、対応する給紙ローラ及び搬送ローラに伝達する伝動手段と、
（ｆ）前記各給紙部にそれぞれ配設され、前記伝動手段と対応する搬送ローラとを連結する第１の連結手段と、
（ｇ）前記記録紙の搬送方向における上流側の搬送ローラと下流側の搬送ローラとを連結する第２の連結手段とを有するとともに、
（ｈ）前記各第１の連結手段は、対応する伝動手段の回転に伴って連結され、対応する搬送ローラの回転に伴って遮断され、
（ｉ）前記第２の連結手段は、記録紙の搬送方向における上流側の搬送ローラの回転に伴って連結され、下流側の搬送ローラの回転に伴って遮断されることを特徴とする記録装置。
【請求項２】
前記伝動手段は、モータの一方向の回転だけを前記給紙ローラに伝達し、モータの両方向の回転を一方向の回転に変換して前記搬送ローラに伝達する請求項１に記載の記録装置。
【発明の詳細な説明】
【０００１】
【発明の属する技術分野】
本発明は、記録装置に関するものである。
【０００２】
【従来の技術】
従来、複写機、プリンタ等の記録装置は、記録紙が収容されたカセットを有し、該カセットから給紙された記録紙を記録部に送るようになっている。
図２は従来の記録装置の概略図、図３は従来の記録装置の駆動機構の平面図、図４は従来の記録装置の駆動機構の正面図である。
【０００３】
図において、１１は記録装置、１２は記録紙１３を収容するカセット、１４は前記記録紙１３の前端部（図２における左端部）に隣接させて回転自在に配設され、カセット１２内の最も上の記録紙１３を給紙する給紙ローラ、１５は該給紙ローラ１４と接触させて配設され、給紙される記録紙１３を１枚ずつ分離させる摩擦片、１６は前記記録紙１３の搬送路Ｈ１における給紙ローラ１４及び摩擦片１５より下流側に回転自在に配設され、前記記録紙１３を搬送する搬送ローラであり、該搬送ローラ１６と当接させてピンチローラ１７が回転自在に配設される。また、１８は第１の給紙装置であり、該第１の給紙装置１８は、前記カセット１２、給紙ローラ１４、摩擦片１５、搬送ローラ１６及びピンチローラ１７から成る。
【０００４】
そして、図３及び４に示されるように、前記給紙ローラ１４のシャフトＳ１の一端には給紙ローラギヤ３１が取り付けられ、該給紙ローラギヤ３１は、小ギヤ３２ａ及び大ギヤ３２ｂから成る二段の減速ギヤ３２、並びにモータギヤ３３ａを介してモータ３３に連結される。また、前記搬送ローラ１６のシャフトＳ２の一端には搬送ローラギヤ３７が取り付けられ、該搬送ローラギヤ３７は、遊星ギヤ３４及びアイドルギヤ３５、３６を介して前記給紙ローラギヤ３１に連結される。
【０００５】
したがって、前記モータ３３を駆動することによって発生させられた回転がモータギヤ３３ａ及び減速ギヤ３２を介して給紙ローラギヤ３１に伝達され、給紙ローラ１４が回転させられる。その結果、記録紙１３が、給紙ローラ１４によって給紙され、搬送ローラ１６とピンチローラ１７との間のニップ部に送られる。このとき、２枚以上の記録紙１３が給紙ローラ１４によって給紙されようとすると、下方の記録紙１３が摩擦片１５の摩擦力によって停止させられる。その結果、記録紙１３が１枚ずつ分離させられて給紙される。
【０００６】
一方、前記給紙ローラギヤ３１に伝達された回転は遊星ギヤ３４、アイドルギヤ３５、３６を介して搬送ローラギヤ３７に伝達され、搬送ローラ１６が回転させられる。そして、記録紙１３が搬送ローラ１６に到達すると、モータ３３が逆方向に駆動され、逆方向の回転が給紙ローラギヤ３１に伝達される。しかし、該給紙ローラギヤ３１又は給紙ローラ１４に図示されないワンウェイクラッチが組み込まれているので、給紙ローラ１４は回転しない。
【０００７】
また、給紙ローラギヤ３１に伝達された回転は、遊星ギヤ３４ａ及びアイドルギヤ３６を介して搬送ローラギヤ３７に伝達され、搬送ローラ１６が回転させられる。このとき、モータ３３の駆動方向によって回転させられるアイドルギヤ３５、３６が異なり、搬送ローラギヤ３７及び搬送ローラ１６は一定の方向に回転させられる。
【０００８】
その結果、記録紙１３は更に搬送されて記録部２３に送られ、該記録部２３において記録紙１３に対して記録が行われる。なお、前記記録装置１１が複写機である場合は記録紙１３に対して複写が行われ、記録装置１１がプリンタである場合は記録紙１３に対して印刷が行われる。
そして、前記第１の給紙装置１８の下方に第２の給紙装置１９が配設され、該第２の給紙装置１９の搬送路Ｈ２と前記搬送路Ｈ１とが連結される。前記第２の給紙装置１９は、第１の給紙装置１８と同じ構造を有し、カセット１１２、給紙ローラ１１４、摩擦片１１５、搬送ローラ１１６及びピンチローラ１１７から成るとともに、図３及び４に示されるような駆動機構を有する。
【０００９】
したがって、第２の給紙装置１９のモータ３３を駆動することによって、給紙ローラ１１４が回転させられ、カセット１１２内の記録紙１３が給紙ローラ１１４によって給紙され、搬送ローラ１１６とピンチローラ１１７との間のニップ部に送られる。このとき、２枚以上の記録紙１３が給紙ローラ１１４によって給紙されようとすると、下方の記録紙１３が摩擦片１１５の摩擦力によって停止させられる。その結果、記録紙１３が１枚ずつ分離させられて給紙される。
【００１０】
一方、前記第２の給紙装置１９のモータ３３を駆動することによって搬送ローラ１１６も回転させられる。その結果、記録紙１３は、更に搬送されて第１の給紙装置１８の搬送ローラ１６とピンチローラ１７との間のニップ部に送られる。その後、記録紙１３は記録部２３に送られ、該記録部２３において記録紙１３に対して記録が行われる。
【００１１】
なお、必要に応じて前記第２の給紙装置１９の更に下方に給紙装置を配設することもできる。
【００１２】
【発明が解決しようとする課題】
しかしながら、前記従来の記録装置１１においては、第２の給紙装置１９、又は第２の給紙装置１９の更に下方に配設された給紙装置から記録紙１３を給紙する場合、第２の給紙装置１９の上方に配設された第１の給紙装置１８に配設されたすべてのモータ３３を同時に駆動する必要がある。
【００１３】
したがって、各モータ３３の電力供給源である図示されない電源装置に、すべてのモータ３３を同時に駆動することができるだけの容量を確保しておかなければならないので、電源装置の寸法が大きくなるだけでなく、記録装置１１のコストが高くなってしまう。
本発明は、前記従来の記録装置の問題点を解決して、電源装置の寸法を小さくすることができるだけでなく、コストを低くすることができる記録装置を提供することを目的とする。
【００１４】
【課題を解決するための手段】
そのために、本発明の記録装置においては、複数の給紙部にそれぞれ配設され、記録紙を収容するカセットと、前記各給紙部にそれぞれ配設され、カセット内の記録紙を給紙する給紙ローラと、前記各給紙部にそれぞれ配設され、給紙された記録紙を搬送する搬送ローラと、前記各給紙部にそれぞれ配設され、互いに独立に駆動されるモータと、前記各給紙部にそれぞれ配設され、前記各モータによって発生させられた回転を、対応する給紙ローラ及び搬送ローラに伝達する伝動手段と、前記各給紙部にそれぞれ配設され、前記伝動手段と対応する搬送ローラとを連結する第１の連結手段と、前記記録紙の搬送方向における上流側の搬送ローラと下流側の搬送ローラとを連結する第２の連結手段とを有する。
そして、前記各第１の連結手段は、対応する伝動手段の回転に伴って連結され、対応する搬送ローラの回転に伴って遮断される。また、前記第２の連結手段は、記録紙の搬送方向における上流側の搬送ローラの回転に伴って連結され、下流側の搬送ローラの回転に伴って遮断される。
【００１５】
【発明の実施の形態】
以下、本発明の実施の形態について図面を参照しながら詳細に説明する。
図１は本発明の第１の実施の形態における記録装置の駆動機構の第１の状態を示す正面図、図５は本発明の第１の実施の形態における記録装置の概略図、図６は本発明の第１の実施の形態における記録装置の駆動機構の第２の状態を示す正面図である。
【００１６】
図において、２１は記録装置、１２は記録紙１３を収容するカセット、１４は前記記録紙１３の前端部（図５における左端部）に隣接させて回転自在に配設され、カセット１２内の最も上の記録紙１３を給紙する給紙ローラ、１５は該給紙ローラ１４と接触させて配設され、給紙される記録紙１３を１枚ずつ分離させる摩擦片、１６は前記記録紙１３の搬送路Ｈ１における給紙ローラ１４及び摩擦片１５より下流側に回転自在に配設され、前記記録紙１３を搬送する搬送ローラであり、該搬送ローラ１６と当接させてピンチローラ１７が回転自在に配設される。また、２５は第１の給紙部に配設された第１の給紙装置であり、該第１の給紙装置２５は、カセット１２、給紙ローラ１４、摩擦片１５、搬送ローラ１６及びピンチローラ１７から成る。
【００１７】
そして、前記給紙ローラ１４の図示されないシャフトの一端には給紙ローラギヤ３１が取り付けられ、図１に示されるように、該給紙ローラギヤ３１は、小ギヤ３２ａ及び大ギヤ３２ｂから成る二段の減速ギヤ３２、並びにモータギヤ３３ａを介してモータ３３に連結される。また、前記搬送ローラ１６の図示されないシャフトの一端には搬送ローラギヤ３７が取り付けられ、該搬送ローラギヤ３７は、遊星ギヤ３４及びアイドルギヤ３５、３６を介して前記給紙ローラギヤ３１に連結される。
【００１８】
前記給紙ローラギヤ３１、減速ギヤ３２及びモータギヤ３３ａによって第１の伝動手段が、前記アイドルギヤ３５、３６及び搬送ローラギヤ３７によって第２の伝動手段が構成される。そして、前記遊星ギヤ３４は、給紙ローラギヤ３１と常時噛（し）合した状態で矢印Ａ方向に移動自在に配設され、第１の連結手段を構成し、図１に示される噛合位置と、図６に示される解放位置とを採り、前記第１の伝動手段と第２の伝動手段とを選択的に連結する。また、遊星ギヤ３４ａは、給紙ローラギヤ３１と常時噛合した状態で矢印Ａ’方向に移動自在に配設され、図１に示される解放位置と、図６に示される噛合位置とを採る。
【００１９】
したがって、前記モータ３３を駆動することによって発生させられた回転が矢印で示されるようにモータギヤ３３ａ及び減速ギヤ３２を介して給紙ローラギヤ３１に伝達され、給紙ローラ１４が回転させられる。その結果、記録紙１３が、給紙ローラ１４によって給紙され、搬送ローラ１６とピンチローラ１７との間のニップ部に送られる。このとき、２枚以上の記録紙１３が給紙ローラ１４によって給紙されようとすると、下方の記録紙１３が摩擦片１５の摩擦力によって停止させられる。その結果、記録紙１３が１枚ずつ分離させられて給紙される。
【００２０】
一方、前記給紙ローラギヤ３１に伝達された回転は矢印で示されるように遊星ギヤ３４、アイドルギヤ３５、３６を介して搬送ローラギヤ３７に伝達され、搬送ローラ１６が回転させられる。そして、記録紙１３が搬送ローラ１６に到達すると、モータ３３が逆方向に駆動され、逆方向の回転が給紙ローラギヤ３１に伝達される。しかし、該給紙ローラギヤ３１又は給紙ローラ１４に図示されないワンウェイクラッチが組み込まれているので、給紙ローラ１４は回転しない。
【００２１】
また、給紙ローラギヤ３１に伝達された回転は、遊星ギヤ３４ａ及びアイドルギヤ３６を介して搬送ローラギヤ３７に伝達され、搬送ローラ１６が回転させられる。このとき、モータ３３の駆動方向によって回転させられるアイドルギヤ３５、３６が異なり、搬送ローラギヤ３７及び搬送ローラ１６は一定の方向に回転させられる。
【００２２】
その結果、記録紙１３は更に搬送されて記録部２３に送られ、該記録部２３において記録紙１３に対して記録が行われる。なお、前記記録装置２１が複写機である場合は記録紙１３に対して複写が行われ、記録装置２１がプリンタである場合は記録紙１３に対して印刷が行われる。
そして、前記第１の給紙部の下方に第２の給紙部が設定され、該第２の給紙部に第２の給紙装置２６が配設され、該第２の給紙装置２６の搬送路Ｈ２と前記搬送路Ｈ１とが連結される。前記第２の給紙装置２６は、第１の給紙装置２５と同じ構造を有し、カセット１１２、給紙ローラ１１４、摩擦片１１５、搬送ローラ１１６及びピンチローラ１１７から成る。
【００２３】
また、前記給紙ローラ１１４の図示されないシャフトの一端には給紙ローラギヤ４１が取り付けられ、図１に示されるように、該給紙ローラギヤ４１は、小ギヤ４２ａ及び大ギヤ４２ｂから成る二段の減速ギヤ４２、並びにモータギヤ４３ａを介してモータ４３に連結される。そして、前記搬送ローラ１１６の図示されないシャフトの一端には搬送ローラギヤ４７が取り付けられ、該搬送ローラギヤ４７は、遊星ギヤ４４及びアイドルギヤ４５、４６を介して前記給紙ローラギヤ４１に連結される。
【００２４】
前記給紙ローラギヤ４１、減速ギヤ４２及びモータギヤ４３ａによって第１の伝動手段が、前記アイドルギヤ４５、４６及び搬送ローラギヤ４７によって第２の伝動手段が構成される。そして、前記遊星ギヤ４４は、給紙ローラギヤ４１と常時噛合した状態で移動自在に配設され、第１の連結手段を構成し、噛合位置と解放位置とを採り、前記第１の伝動手段と第２の伝動手段とを選択的に連結する。
【００２５】
したがって、前記モータ４３を駆動することによって発生させられた回転が矢印で示されるようにモータギヤ４３ａ及び減速ギヤ４２を介して給紙ローラギヤ４１に伝達され、給紙ローラ１１４が回転させられる。その結果、記録紙１３が、給紙ローラ１１４によって給紙され、搬送ローラ１１６とピンチローラ１１７との間のニップ部に送られる。このとき、２枚以上の記録紙１３が給紙ローラ１１４によって給紙されようとすると、下方の記録紙１３が摩擦片１１５の摩擦力によって停止させられる。その結果、記録紙１３が１枚ずつ分離させられて給紙される。
【００２６】
一方、前記給紙ローラギヤ４１に伝達された回転は矢印で示されるように遊星ギヤ４４、アイドルギヤ４５、４６を介して搬送ローラギヤ４７に伝達され、搬送ローラ１１６が回転させられる。そして、記録紙１３が搬送ローラ１１６に到達すると、モータ４３が逆方向に駆動され、逆方向の回転が給紙ローラギヤ４１に伝達される。しかし、該給紙ローラギヤ４１又は給紙ローラ１１４に図示されないワンウェイクラッチが組み込まれているので、給紙ローラ１１４は回転しない。
【００２７】
また、給紙ローラギヤ４１に伝達された回転は、遊星ギヤ４４ａ及びアイドルギヤ４６を介して搬送ローラギヤ４７に伝達され、搬送ローラ１１６が回転させられる。このとき、モータ４３の駆動方向によって回転させられるアイドルギヤ４５、４６が異なり、搬送ローラギヤ４７及び搬送ローラ１１６は一定の方向に回転させられる。
【００２８】
その結果、記録紙１３は、更に搬送されて第１の給紙装置２５の搬送ローラ１６とピンチローラ１７との間のニップ部に送られる。
ところで、前記アイドルギヤ３５は、モータ３３によって発生させられた回転、及びモータ４３によって発生させられた回転を選択的に受け、アイドルギヤ３６を介して搬送ローラギヤ３７に伝達することができるようになっている。
【００２９】
そのために、前記アイドルギヤ３５は、ベルト３９を介してアイドルギヤ３８と連結される。そして、前記搬送ローラギヤ４７と遊星ギヤ４０とが連結され、該遊星ギヤ４０と前記アイドルギヤ３８とが選択的に連結される。前記遊星ギヤ４０は、搬送ローラギヤ４７と常時噛合した状態で矢印Ｂ方向に移動自在に配設され、図１に示される解放位置と、図６に示される噛合位置とを採る。なお、前記ベルト３９に代えてアイドルギヤを使用することもできる。また、前記アイドルギヤ３８、ベルト３９及び遊星ギヤ４０によって第２の連結手段が構成され、該第２の連結手段によって、第１の給紙部と第２の給紙部との間において、各第２の伝動手段が選択的に連結される。
【００３０】
次に、前記構成の記録装置２１の動作について説明する。
まず、第１の給紙装置２５のカセット１２内の記録紙１３を給紙して搬送する場合について説明する。
この場合、モータ３３を正方向に駆動して、モータギヤ３３ａを図１における矢印方向に回転させると、減速ギヤ３２を介して給紙ローラギヤ３１が矢印方向に回転させられ、給紙ローラ１４は図５における時計回りに回転させられ、カセット１２内の記録紙１３が給紙される。このとき、遊星ギヤ３４は、給紙ローラギヤ３１の回転に伴って噛合位置に移動させられ、アイドルギヤ３５と噛合させられる。また、遊星ギヤ３４ａは、給紙ローラギヤ３１の回転に伴い、解放位置に移動させられる。したがって、給紙ローラギヤ３１の回転は、遊星ギヤ３４及びアイドルギヤ３５、３６を介して搬送ローラギヤ３７に伝達され、搬送ローラ１６が図５における時計回りに回転させられ、記録紙１３が更に搬送され、記録部２３に送られる。
【００３１】
また、アイドルギヤ３５の回転はベルト３９を介してアイドルギヤ３８に伝達され、該アイドルローラ３８は、遊星ギヤ４０を跳ね退（の）け、図１に示される解放位置に置かれる。その結果、アイドルギヤ３８と遊星ギヤ４０とが遮断されるので、モータ３３は第２の給紙装置２６から負荷を受けなくなる。
次に、第２の給紙装置２６のカセット１１２内の記録紙１３を給紙して搬送する場合について説明する。
【００３２】
この場合、モータ４３を正方向に駆動して、モータギヤ４３ａを図６の矢印方向に回転させると、減速ギヤ４２を介して給紙ローラギヤ４１が矢印方向に回転させられ、給紙ローラ１１４は図５における時計回りに回転させられ、カセット１１２内の記録紙１３が給紙される。このとき、給紙ローラギヤ４１の回転は、遊星ギヤ４４及びアイドルギヤ４５、４６を介して搬送ローラギヤ４７に伝達され、搬送ローラ１１６が図５における時計回りに回転させられ、記録紙１３が更に搬送され、第１の給紙装置２５の搬送ローラ１６とピンチローラ１７との間のニップ部に送られる。
【００３３】
このとき、搬送ローラギヤ４７が矢印方向に回転させられるのに伴って、遊星ギヤ４０は、図６に示される噛合位置に移動させられ、アイドルギヤ３８と連結される。その結果、遊星ギヤ４０の回転が、アイドルギヤ３８、ベルト３９、アイドルギヤ３５、３６及び搬送ローラギヤ３７を介して順次伝達され、前記搬送ローラ１６が図５における時計回りに回転させられる。したがって、搬送ローラ１６とピンチローラ１７との間のニップ部に送られた記録紙１３は、搬送ローラ１６及びピンチローラ１７によって搬送され、記録部２３に送られる。
【００３４】
また、前記アイドルギヤ３５、３６は、回転に伴って遊星ギヤ３４、３４ａを跳ね退け、図６に示される解放位置に置く。その結果、アイドルギヤ３５と給紙ローラギヤ３１とが遮断されるので、モータ４３は第１の給紙装置２５から給紙ローラ１４、モータ３３等による負荷を受けなくなる。
このように、第１、第２の給紙装置２５、２６の各モータ３３、４３を独立に作動させて給紙を行うことができるので、各モータ３３、４３の電力供給源である図示されない電源装置に、すべてのモータ３３、４３を同時に駆動することができるだけの容量を確保しておく必要がない。したがって、前記電源装置の寸法を小さくすることができるだけでなく、記録装置２１のコストを低くすることができる。しかも、各モータ３３、４３が同時に駆動されることがないので、同軸度を低くすることができる。
【００３５】
また、第１の給紙装置２５のモータ３３を駆動しているときに、モータ３３は第２の給紙装置２６からの負荷を受けることがなく、第２の給紙装置２６のモータ４３を駆動しているときに、モータ４３は第１の給紙装置２５からの負荷を受けることがない。
したがって、各モータ３３、４３の容量を小さくすることができるだけでなく、記録装置２１のコストを低くすることができる。
【００３６】
次に、本発明の第２の実施の形態について説明する。なお、第１の実施の形態と同じ構造を有するものについては、同じ符号を付与することによってその説明を省略する。
図７は本発明の第２の実施の形態における記録装置の駆動機構の第１の状態を示す正面図、図８は本発明の第２の実施の形態における記録装置の駆動機構の第２の状態を示す正面図である。
【００３７】
この場合、第１の給紙部に第１の給紙装置２５が、第１の給紙部の下方に設定された第２の給紙部に第２の給紙装置２２６が、前記第２の給紙部の下方に設定された第３の給紙部に第３の給紙装置２２７がそれぞれ配設される。
そして、第３の給紙装置２２７において、モータ２４３を駆動することによって発生させられた回転がモータギヤ２４３ａ及び減速ギヤ２４２を介して給紙ローラギヤ２４１に伝達され、図示されない給紙ローラが回転させられる。その結果、記録紙１３（図５）が給紙ローラによって給紙される。
【００３８】
一方、前記給紙ローラギヤ２４１に伝達された回転は遊星ギヤ２４４、アイドルギヤ２４５、２４６を介して搬送ローラギヤ２４７に伝達され、図示されない搬送ローラが回転させられる。その結果、記録紙１３は、更に搬送されて搬送ローラ１１６とピンチローラ１１７との間のニップ部に送られる。なお、前記給紙ローラギヤ２４１、減速ギヤ２４２及びモータギヤ２４３ａによって第１の伝動手段が、アイドルギヤ２４５、２４６及び搬送ローラギヤ２４７によって第２の伝動手段が、前記遊星ギヤ２４４によって第１の連結手段が構成される。そして、前記遊星ギヤ２４４は、給紙ローラギヤ２４１と常時噛合した状態で移動自在に配設され、噛合位置と解放位置とを採り、前記第１の伝動手段と第２の伝動手段とを選択的に連結する。
【００３９】
ところで、アイドルギヤ４５は、モータ４３によって発生させられた回転、及びモータ２４３によって発生させられた回転を選択的に受け、アイドルギヤ４６を介して搬送ローラギヤ４７に伝達することができるようになっている。
そのために、前記アイドルギヤ４５は、ベルト２３９を介してアイドルギヤ２３８と連結される。そして、前記搬送ローラギヤ２４７と遊星ギヤ２４０とが連結され、該遊星ギヤ２４０と前記アイドルギヤ２３８とが選択的に連結される。前記遊星ギヤ２４０は、搬送ローラギヤ２４７と常時噛合した状態で矢印Ｃ方向に移動自在に配設され、解放位置と噛合位置とを採る。なお、前記ベルト２３９に代えてアイドルギヤを使用することもできる。また、前記アイドルギヤ２３８、ベルト２３９及び遊星ギヤ２４０によって第２の連結手段が構成され、該第２の連結手段によって、第２の給紙部と第３の給紙部との間において、各第２の伝動手段が選択的に連結される。
【００４０】
なお、図７は、第１の給紙装置２５のカセット１２内の記録紙１３を給紙して搬送する場合の状態を、図８は、第２の給紙装置２２６のカセット１２内の記録紙１３を給紙して搬送する場合の状態を示す。この場合、伝達される回転の方向が矢印で示される。
このように、第１、第２、第３の給紙装置２５、２２６、２２７の各駆動機構をそれぞれ独立に作動させて給紙を行うことができるので、各モータ３３、４３、２４３の電力供給源である図示されない電源装置に、すべてのモータ３３、４３、２４３を同時に駆動することができるだけの容量を確保しておく必要がない。したがって、前記電源装置の寸法を小さくすることができるだけでなく、記録装置のコストを低くすることができる。しかも、各モータ３３、４３、２４３が同時に駆動されることがないので、同軸度を低くすることができる。
【００４１】
また、第１の給紙装置２５の駆動機構を作動させているときに、モータ３３は第２、第３の給紙装置２２６、２２７からの負荷を受けることがなく、第２の給紙装置２２６の駆動機構を作動させているときに、モータ４３は第１、第３の給紙装置２５、２２７からの負荷を受けることがなく、第３の給紙装置２２７の駆動機構を作動させているときに、モータ２４３は第１、第２の給紙装置２５、２２６からの負荷を受けることがない。
【００４２】
したがって、各モータ３３、４３、２４３の容量を小さくすることができるだけでなく、記録装置のコストを低くすることができる。
なお、本発明は前記実施の形態に限定されるものではなく、本発明の趣旨に基づいて種々変形させることが可能であり、それらを本発明の範囲から排除するものではない。
【００４３】
【発明の効果】
以上詳細に説明したように、本発明によれば、記録装置においては、複数の給紙部にそれぞれ配設され、記録紙を収容するカセットと、前記各給紙部にそれぞれ配設され、カセット内の記録紙を給紙する給紙ローラと、前記各給紙部にそれぞれ配設され、給紙された記録紙を搬送する搬送ローラと、前記各給紙部にそれぞれ配設され、互いに独立に駆動されるモータと、前記各給紙部にそれぞれ配設され、前記各モータによって発生させられた回転を、対応する給紙ローラ及び搬送ローラに伝達する伝動手段と、前記各給紙部にそれぞれ配設され、前記伝動手段と対応する搬送ローラとを連結する第１の連結手段と、前記記録紙の搬送方向における上流側の搬送ローラと下流側の搬送ローラとを連結する第２の連結手段とを有する。
そして、前記各第１の連結手段は、対応する伝動手段の回転に伴って連結され、対応する搬送ローラの回転に伴って遮断される。また、前記第２の連結手段は、記録紙の搬送方向における上流側の搬送ローラの回転に伴って連結され、下流側の搬送ローラの回転に伴って遮断される。
【００４４】
この場合、各給紙部のモータを互いに独立に駆動して給紙を行うことができるので、各モータの電力供給源である電源装置に、すべてのモータを同時に駆動することができるだけの容量を確保しておく必要がない。したがって、電源装置の寸法を小さくすることができるだけでなく、記録装置のコストを低くすることができる。しかも、各モータが同時に駆動されることがないので、同軸度を低くすることができる。
【図面の簡単な説明】
【図１】本発明の第１の実施の形態における記録装置の駆動機構の第１の状態を示す正面図である。
【図２】従来の記録装置の概略図である。
【図３】従来の記録装置の駆動機構の平面図である。
【図４】従来の記録装置の駆動機構の正面図である。
【図５】本発明の第１の実施の形態における記録装置の概略図である。
【図６】本発明の第１の実施の形態における記録装置の駆動機構の第２の状態を示す正面図である。
【図７】本発明の第２の実施の形態における記録装置の駆動機構の第１の状態を示す正面図である。
【図８】本発明の第２の実施の形態における記録装置の駆動機構の第２の状態を示す正面図である。
【符号の説明】
１２、１１２    カセット
１３    記録紙
１４、１１４    給紙ローラ
１６、１１６    搬送ローラ
２１    記録装置
２５    第１の給紙装置
２６、２２６    第２の給紙装置
３１、４１、２４１    給紙ローラギヤ
３２、４２、２４２    減速ギヤ
３３、４３、２４３    モータ
３３ａ、４３ａ、２４３ａ    モータギヤ
３４、３４ａ、４０、４４、４４ａ、２４０、２４４    遊星ギヤ
３５、３６、３８、４５、４６、２３８、２４５、２４６    アイドルギヤ
３７、４７、２４７    搬送ローラギヤ
３９、２３９    ベルト
２２７    第３の給紙装置
【図１】
0003660122.tif 000002
【図２】
0003660122.tif 000003
【図３】
0003660122.tif 000004
【図４】
0003660122.tif 000005
【図５】
0003660122.tif 000006
【図６】
0003660122.tif 000007
【図７】
0003660122.tif 000008
【図８】
0003660122.tif 000009